【事件の表示】
　特願２００８−１５００８６号「加熱調理器」拒絶査定不服審判事件〔平成２１年１２月１７日出願公開、特開２００９−２９３８９２号〕について、次のとおり審決する。
【結　論】
　本件審判の請求は、成り立たない。
【理　由】
１．手続の経緯
　本願は、平成２０年６月９日の出願であって、平成２４年８月９日付けで拒絶査定がなされ、これに対して、同年１１月１６日付けで拒絶査定不服審判の請求がなされたものである。
　その後、当審において、平成２５年６月２４日付けで拒絶理由が通知され、これに対して、同年８月１９日付けで意見書が提出されるとともに、同日付けで手続補正がなされたものである。
　
２．本願発明
　本願の特許請求の範囲の請求項１ないし５に係る発明は、平成２５年８月１９日付け手続補正により補正された明細書、特許請求の範囲及び図面の記載からみて、その特許請求の範囲の請求項１ないし５に記載されたとおりのものであると認められるところ、請求項１に係る発明（以下「本願発明」という。）は、以下のとおりである。
　「キッチンに形成した略長方形の穴部に収容される略直方体の本体と、前記キッチン上面と略同一面に位置する前記本体の天面に備えた略長方形の天板と、前記天板を囲う外枠と、前記本体に内蔵されて前記天板に載置された被加熱物を加熱する加熱装置と、前記加熱装置の制御回路と、前記天板の前部端近傍下面に設けた静電タッチ式のスイッチと、前記天板四隅の角部の少なくとも前記本体前側の１か所を削除して設けた収納部と、前記収納部に収納された前記制御回路の電源スイッチと、前記収納部に収納され、前記天板を通過させずに前記本体の上方に配置された機器と赤外線で通信を行うための赤外線通信装置とで構成し、前記赤外線通信装置は前記電源スイッチと同一面で前記電源スイッチよりも後方で前記穴部の外側でかつ前記キッチン上面より高い位置に配され、前記天板上の液体が前記収納部に流れ込んで前記赤外線通信装置から発信する赤外線を遮蔽することを防ぐとともに前記静電タッチ式のスイッチが配置される領域と前記収納部とが区分されるように前記天板と前記収納部の間に前記天板上面より高い凸部を形成した加熱調理器。」
　
３．引用例
　これに対して、当審で通知した拒絶理由に引用され、本願出願前に頒布された刊行物である特開２００５−２６８２０８号公報（以下「引用例１」という。）及び特開２００７−１９８６１３号公報（以下「引用例２」という。）には、それぞれ以下の各事項が記載されている。
　
［引用例１について］
（１ａ）「【請求項１】
本体と、トッププレート及び前記トッププレートの周縁部を枠状に覆うトップフレームを有し前記本体上部に装着されるトップユニットと、前記トッププレートの下部に配置され前記トッププレート上の被加熱物を誘導加熱する複数のインダクションヒータと、前記トッププレート上面に形成された１つ以上の操作キーを有し前記操作キーを指で触れる操作により制御命令を入力する操作部であって前記制御命令に応じて前記複数のインダクションヒータのうちの対応するインダクションヒータの動作が制御される複数の個別操作スイッチ部と、所定以上の力で電源スイッチ操作部を操作することにより開閉動作が行われるスイッチであってその開閉動作に応じて前記制御命令が有効化及び無効化される電源スイッチとを備え、前記電源スイッチ操作部は、前記トップユニットの使用者側の左右いずれか一方の角部近傍上面に、どの前記操作キーよりも前記角部に近接させて配置されるとともに、前記個別操作スイッチ部と前記電源スイッチ操作部との間に、前記トッププレート上面に段差を形成する電源スイッチ識別表示部を設けてなる誘導加熱調理器。
【請求項２】
電源スイッチ識別表示部は、トップユニットの角部を構成するトップフレームの２辺の内縁を相互に結ぶ段差をトッププレート上面に形成する請求項１に記載の誘導加熱調理器。
【請求項３】
電源スイッチ識別表示部は、トップフレームと一体形成された金属板でトップユニットの角部を覆うかまたは囲うように形成され、電源スイッチ操作部を前記電源スイッチ識別表示部の範囲内に設けてなる請求項２に記載の誘導加熱調理器。
・・・
【請求項５】
トッププレートは、平面形状が略長方形で使用者側の角部の一方を三角形状に切り欠いた形状に形成されるとともに、前記トッププレートの切り欠いた部分である切り欠き部を電源スイッチ識別表示部で覆う構成とした請求項３または４に記載の誘導加熱調理器。」
　
（１ｂ）「【００２５】
　図１は、システムキッチン等の流し台のキャビネットに設けられた開口部（図示せず）に、調理器ユニット部が収納された本体１をはめ込んだビルトイン型の誘導加熱調理器を示している。
【００２６】
　図に示すように、本体１の上面にはトップユニット４０が固定されている。トップユニット４０は、耐熱性と電気絶縁性に優れた耐熱ガラス又は結晶化セラミックからなる板状のトッププレート２と、枠状に形成されトッププレート２の周囲を覆って保護するトップフレーム８を有している。トッププレート２の下部には、被加熱物を誘導加熱するコイルである２個のインダクションヒータ５ａ、５ｂが設けられている。・・・トッププレート２の表面上には、また、触れる操作によりインダクションヒータ５ａを動作させる複数の操作キー（タッチパッド）で構成された個別操作スイッチ部４ａが設けられている。同様に、トッププレート２上面において、インダクションヒータ５ｂを動作させる複数の操作キー（タッチパッド）で構成された個別操作スイッチ部４ｂがその動作を表示する動作表示部３ｂの近傍に対応させて配置されている。」
　
（１ｃ）「【００２７】
　図２は、本体１をキャビネット７内に落とし込んで設置した状態の詳細を示している。トッププレート２の下には平板状に巻線を巻回した誘導加熱用コイルであるインダクションヒータ５ａ、５ｂが配置されている。インバータ電源装置６から高周波交流電流の供給を受けたインダクションヒータ５ａ、５ｂから高周波磁界を発生させることにより、被加熱物である鍋９の鍋底に渦電流を発生させ、発熱させて調理することができるようになっている。インバータ電源装置６の出力を制御する制御部１０は、個別操作スイッチ部４ａ、４ｂに属する操作キーを指で触れる操作により制御命令（加熱開始、停止、又は出力値の設定若しくは変更等の命令をいう）を入力しその制御命令に応じて複数のインダクションヒータ５ａ、５ｂのうちの対応するインダクションヒータの動作を制御し、また、センサー１７による部品温度又はその雰囲気温度の情報によってインダクションヒータ５ａ、５ｂの加熱出力や加熱動作の起動・停止をコントロールしている。また、制御部１０は、電源スイッチ２８の開閉動作に応じて、個別操作スイッチ部４ａ、４ｂおよび５ｃを含む全て（又は特定）の入力命令の無効化及び有効化を決定する。また、いずれかのヒータが動作している場合には、電源スイッチ２８の動作に応じて加熱動作を禁止する。
【００２８】
　本体１の操作キー全て（又は特定のもの）に対する入力操作の有効化、無効化を決定する電源スイッチ２８及び、その開閉動作を行わせるための入力操作部である電源スイッチ操作部２６が、トップユニット４０に組み込まれている。」
　
（１ｄ）【００２９】
　電源スイッチ操作部２６と、個別操作スイッチ部４ａ、４ｂおよび５ｃとを視覚的に区別するための「電源スイッチ識別表示部」として、トップユニット４０の使用者側の右側の角部上面に、フレームコーナ部４２を形成している。フレームコーナ部（電源スイッチ識別表示部）４２は、トップユニット４０の角部においてトップフレーム８と一体形成された金属板で電源スイッチ操作部２６周囲を覆うように形成されており、トップユニット４０の角部につながるトップフレーム８の縦、横２辺の内縁の途中をバイパスするように相互にかつ連続的に結ぶ段差を形成する段部８ａをトッププレート２の上面に形成する。
【００３０】
　電源スイッチ操作部２６は、フレームコーナ部４２の内縁で形成された段差により囲まれ、フレームコーナ部４２の上面より、電源スイッチ操作部２６の上面が下方に位置するように構成されている。また、電源スイッチ操作部２６の周囲でシール部材４１によりフレームコーナ部４２の裏面との間でシールされている。
【００３１】
　・・・いずれにしても、電源スイッチ操作部２６は、トップユニット４０の上面に設けられており、かつトップユニット４０の使用者側（手前側）の右側の角部に、トップフレーム８と一体に形成された電源スイッチ識別表示部であるフレームコーナ部４２の範囲内に設けられている。
【００３２】
　そして、図１に示すようにシステムキッチンのキャビネット７の開口部には、本体１が、本体１上部に設けられたフランジ部でキャビネット７の開口部の周囲に支持され吊り下げられるようにはめ込まれている。・・・」
　
（１ｅ）「【００３４】
　図３は、個別操作スイッチ部４ａ、４ｂ、電源スイッチ操作部２６および電源スイッチ２８近傍の詳細な構成を示している。・・・個別操作スイッチ部４ａ、４ｂは、トッププレート２の上面に設けられた複数の操作キー（電極）と、これらの操作キーにそれぞれ対向してトッププレート２の下面に設けられた複数の電極４４と、トッププレート２の下面の電極４４に押し付けられる状態で取り付けられている接点端子１１で構成されている。接点端子１１は、弾力性を持つ導電性を有する材料で、中央にたわむ部分を設けた形状であって、本実施の形態では金属の薄板で構成している。接点端子１１の先端部をトッププレート２の下面の電極に常時接触しているようにするとともに、その取り付けの位置が決まるように、接点端子１１が樹脂などのホルダー１２に固定されている。そして、使用者がこの個別操作スイッチ部４ａ、４ｂの操作キーに触れたときの当該操作キーと対向するトッププレート裏面電極４４間の静電容量の変化を制御部１０で検出してその信号を制御部１０のマイコンに送って処理している。・・・」
　
（１ｆ）「【００３５】
　トッププレート２は、平面形状が略長方形となっており、使用者から見て右側手前角部が斜めにカットされ角部を含め三角形状に切り欠かれている（以下このカットされた部分を「切り欠き部」という）。トッププレート２の周縁部は、トップフレーム８と同一のステンレスあるいは鉄板等の金属が折り曲げられて形成されたフレームコーナ部（電源スイッチ識別表示部）４２により覆われ、割れたり欠けたりしないように保護されている。枠状のトップフレーム８は、全体外形が略長方形となっており、トッププレート２の周縁部を覆うとともに、平面形状が略三角形の面でなるフレームコーナ部４２がトッププレート２の外側の切り欠き部を覆い、水の浸入を防止するシール部材４３がトップフレーム８及びフレームコーナ部４２と、トッププレート２間に設けられている。
【００３６】
　このように、トッププレート２は、平面形状が略長方形で使用者側の角部の一方を三角形状に切り欠いた形状に形成され、トッププレート２の切り欠いた部分をフレームコーナ部（電源スイッチ識別表示部）４２で覆う構成としたので、トップフレーム８の外形は、極端な切り欠きのない長方形に近い形状となりデザイン的にアンバランスがないようにすることができるとともに、トッププレート２の形状が単に直線的に角部を切り欠く形状であるので加工が簡単で、三角形状に切り欠いた部分に電源スイッチ操作部２６及び電源スイッチ２８または電源スイッチ２８を動作させる機構部品を配置することができるので電源スイッチ識別表示部及び電源スイッチ操作部２６を容易に構成することができる。」
　
（１ｇ）「【００３７】
　また、トッププレート２の切り欠き部に臨む部分の縁部上面をフレームコーナ部（電源スイッチ識別表示部）４２で覆うとともに水の浸入を防止するシール部材４３を、フレームコーナ部４２の下面とトッププレート２上面間に設ける構成としたことにより、トッププレート２とトップフレーム８下面との間には、トップフレーム８内縁全体にわたり段差を形成する段部８ａが設けられ、トッププレート２の上面にふきこぼれなどで液体がこぼれても、トッププレート２の外側や、電源スイッチ操作部２６には流れて行かないようにすることができ、さらには水の浸入を防止するシール部材４３がフレームコーナ部４２（トップフレーム８）とトッププレート２間に設けられているので本体１内や電源スイッチ２８まで水が到達するのを防止することができる。」
　
（１ｈ）図１には、個別操作スイッチ部４ａ、４ｂ、４ｃは、トッププレート２の使用者側に設けられていることが記載されている。
　
（１ｉ）図２には、電源スイッチ操作部２６は、キャビネットに設けられた開口部のほぼ外側でかつキャビネット上面より高い位置に配置されていることが記載されている。
　
　以上の記載によると、引用例１には、
「流し台のキャビネットに設けられた開口部に、本体をはめ込んだビルトイン型であり、
　本体と、トッププレート及び前記トッププレートの周縁部を枠状に覆うトップフレームを有し前記本体上部に装着されるトップユニットと、前記トッププレートの下部に配置され前記トッププレート上の被加熱物を誘導加熱する複数のインダクションヒータと、前記トッププレート上面に形成された１つ以上の操作キーを有し前記操作キーを指で触れる操作により制御命令を入力する操作部であって前記制御命令に応じて前記複数のインダクションヒータのうちの対応するインダクションヒータの動作が制御される複数の個別操作スイッチ部と、所定以上の力で電源スイッチ操作部を操作することにより開閉動作が行われるスイッチであってその開閉動作に応じて前記制御命令が有効化及び無効化される電源スイッチとを備え、前記電源スイッチ操作部は、前記トップユニットの使用者側の左右いずれか一方の角部近傍上面に、どの前記操作キーよりも前記角部に近接させて配置されるとともに、前記個別操作スイッチ部と前記電源スイッチ操作部との間に、前記トッププレート上面に段差を形成する電源スイッチ識別表示部を設けてなる誘導加熱調理器であって、
　前記電源スイッチ識別表示部は、トップフレームと一体形成された金属板であり、トップユニットの角部を構成するトップフレームの２辺の内縁を相互に結ぶ段差をトッププレート上面に形成し、
　前記トッププレートは、平面形状が略長方形で使用者側の角部の一方を三角形状に切り欠いた形状に形成されるとともに、前記トッププレートの切り欠いた部分である切り欠き部を前記電源スイッチ識別表示部で覆う構成とし、前記電源スイッチ操作部は、前記切り欠き部に設けられ、
　前記個別操作スイッチ部は、トッププレートの使用者側に設けられた誘導加熱調理器。」の発明（以下「引用発明」という。）が記載されていると認められる。
　
［引用例２について］
（２ａ）「【請求項１】
　赤外線投光手段を有し、該赤外線投光手段からの赤外線信号により上方に設けた換気装置を制御するようにした加熱調理器において、
　前記換気装置を、加熱部に通電して調理を開始する前に駆動するようにしたことを特徴とする加熱調理器。
・・・
【請求項６】
　加熱部、該加熱部の出力を制御する制御部、上端部外周に設けたフランジ部上に配設された赤外線投光手段、該赤外線投光手段の制御部等を有し、前面側にロースター及びメインスイッチや火力調整ダイヤルスイッチ等を有する前面操作部が設けられた本体ケースと、
　トッププレートの保持部に前記赤外線投光手段に対応して赤外線通光部が設けられ、前記本体ケースの上面開口部に装着された天板とからなり、
　前記火力調整ダイヤルスイッチ又はメインスイッチをＯＮすると前記赤外線投光手段からの赤外線信号が上方に設けた換気装置に受光されて該換気装置が駆動され、次に前記火力調整ダイヤルスイッチにより前記加熱部の出力を設定するように構成したことを特徴とする加熱調理器。
【請求項７】
　前記赤外線投光手段を、本体ケースの前面側のフランジ部上に設けたことを特徴とする請求項６記載の加熱調理器。」
　
（２ｂ）「【００１２】
［実施の形態１］
　図１は本発明の実施の形態１に係る一部を断面で示した加熱調理器の斜視図、図２は一部を省略して示した図１の天板を取外した状態を示す斜視図、図３は同じく図２の平面図である。
　加熱調理器１は、上面及び前面が開口されて上面開口部の周縁にフランジ部３が設けられた本体ケース２と、保持枠２６及び例えば板ガラスの如き非磁材からなり、外周縁が保持枠２６に取付けられたトッププレート２７から構成され、本体ケース２のフランジ部３に上面開口部を覆って装着された天板２５とからなっている。」
　
（２ｃ）「【００２０】
　上記のように構成した加熱調理器１は、図５，図６に示すように、例えば、後部が壁面６０に当接し又は近接して設置された流し台５０に組込まれ、あるいは流し台等の上に載置される。そして、加熱調理器１の上方には、壁面６０に取付けられた換気装置５５が庇状に設けられている。
【００２１】
　この換気装置５５は、フード部５６と、フード部５６に設けた換気扇５７とからなり、フード部５６の上部先端部には、加熱調理器１の赤外線ＬＥＤ２３ａ〜２３ｃからの赤外線信号を受光する赤外線の受光部５８が設けられており、フード５６の下部中央部には照明部５９が設けられている。そして、受光部５８が赤外線信号を受光すると、換気扇５７の駆動回路及び照明部５９の点灯回路がＯＮするようになっている。」
　
（２ｄ）「【００３８】
［実施の形態２］
　図１０は本発明の実施の形態２に係る加熱調理器の平面図及びＡ−Ａ拡大断面図である。なお、実施の形態１と同じ部分にはこれと同じ符号を付し、説明を省略する。
　実施の形態１においては、天板２５のトッププレート２７の前面側に赤外線通光部３３ａ〜３３ｃを設けたが、本実施の形態においては、トッププレート２７を保持する保持枠２６に赤外線通光部３３ａ，３３ｂを設けたものである。
【００３９】
　すなわち、図１０に示すように、本体ケースの前面側のフランジ部３の左右（上面操作部２８の両側）に、赤外線ＬＥＤ２３ａ，２３ｂが搭載された基板２０ａを配置すると共に、これに対応して天板２５の保持枠２６に赤外線通光部３３ａ，３３ｂ（本実施の形態においては「窓」となり、透明又は半透明の材料で覆われる）を設け、赤外線ＬＥＤ２３ａ，２３ｂを発光制御部２０に接続したものである。」
　
（２ｅ）「【００４２】
　本実施の形態に係る加熱調理器の上記以外の構成及び作用、効果、実施の形態１の場合とほぼ同様であるが、本実施の形態においては、さらに次のような効果を得ることができる。
・・・
【００４４】
　また、トッププレート２７より一段高い位置に赤外線通光部３３ａ，３３ｂが設けられているので、赤外線通光部３３ａ，３３ｂが調理鍋４０等によって遮蔽されたり、調理鍋４０からのふきこぼれなどによって汚れたり塞がれたりすることがない。
　さらに、赤外線通光部３３ａ，３３ｂを保持枠２６の左右又は後面側に設けた場合は、使用者の手などによって赤外線信号が遮断されるおそれがなく、これらにより、換気装置５５の受光部５８の受光効率を高めることができる。」
　
（２ｆ）図２（ｂ）には、赤外線投光手段を構成する赤外線ＬＥＤは、流し台の開口部の外側でかつ流し台上面より高い位置に配置されていることが記載されている。
　
　以上の記載によると、引用例２には、
「赤外線投光手段からの赤外線信号により上方に設けた換気装置を制御するようにした加熱調理器において、赤外線投光手段を構成する赤外線ＬＥＤを本体ケースの前面側のフランジ部の左右に配置し、これに対応して天板の保持枠に赤外線通光部を設ける」ことが記載されているものと認められる。
　
４．対比
　本願発明と引用発明とを対比すると、
　引用発明の「流し台」及び「開口部」は、それぞれ本願発明の「キッチン」及び「穴部」に相当し、上記「開口部」の形状は、本願発明でいう「略長方形」であることは明らかであり、
　引用発明の誘導加熱調理器の「本体」は、本願発明でいう「略直方体」であることは明らかであり、
　引用発明の「トッププレート」は、本願発明の「天板」に相当し、また、引用発明の「誘導加熱調理器」はビルトイン型であるので、上記「トッププレート」は、流し台のキャビネット上面と本願発明でいう「略同一面に位置する」ことは明らかであり、
　引用発明の「トップフレーム」は、トッププレートの周縁部を枠状に覆うことから、本願発明の「外枠」に相当し、
　引用発明の「インダクションヒータ」は、本願発明の「加熱装置」に相当し、また、引用発明の「誘導加熱調理器」は、上記「インダクションヒータ」を制御する本願発明でいう「制御回路」を備えることは明らかであり、
　引用発明の「電源スイッチ操作部」は、その操作によりインダクションヒータの動作を制御する制御命令が有効化及び無効化されるものであることから、本願発明の制御回路の「電源スイッチ」に相当し、
　引用発明の「個別操作スイッチ部」は、トッププレートの使用者側に設けられ、操作キーを指で触れる操作により制御命令を入力する操作部であり、静電容量の変化が検出されるものであることから（記載事項（１ｅ）参照）、本願発明の天板の前部端近傍下面に設けた「静電タッチ式のスイッチ」を備えることは明らかであり、
　引用発明の「切り欠き部」は、トッププレートの使用者側の角部の一方を三角形状に切り欠いて形成され、また、電源スイッチ操作部が設けられるものであることから、本願発明の天板四隅の角部の少なくとも本体前側の１か所を削除して設けた「収納部」に相当し、
　引用発明の「段差」は、個別操作スイッチ部と電源スイッチ操作部との間に、トッププレート上面に形成されるものであり、個別操作スイッチ部と電源スイッチ操作部とが区分されることは明らかであるので、本願発明の静電タッチ式のスイッチが配置される領域と収納部とが区分されるように天板と前記収納部の間に形成された前記天板上面より高い「凸部」に相当する。
　よって、両者は、
「キッチンに形成した略長方形の穴部に収容される略直方体の本体と、前記キッチン上面と略同一面に位置する前記本体の天面に備えた略長方形の天板と、前記天板を囲う外枠と、前記本体に内蔵されて前記天板に載置された被加熱物を加熱する加熱装置と、前記加熱装置の制御回路と、前記天板の前部端近傍下面に設けた静電タッチ式のスイッチと、前記天板四隅の角部の少なくとも前記本体前側の１か所を削除して設けた収納部と、前記収納部に収納された前記制御回路の電源スイッチとで構成し、前記静電タッチ式のスイッチが配置される領域と前記収納部とが区分されるように前記天板と前記収納部の間に前記天板上面より高い凸部を形成した加熱調理器。」
　である点で一致し、以下の点で相違する。
　
　相違点；本願発明では、収納部には、天板を通過させずに本体の上方に配置された機器と赤外線で通信を行うための赤外線通信装置が収納され、前記赤外線通信装置は電源スイッチと同一面で前記電源スイッチよりも後方で穴部の外側でかつキッチン上面より高い位置に配され、また、天板と前記収納部の間に形成された凸部は、天板上の液体が前記収納部に流れ込んで前記赤外線通信装置から発信する赤外線を遮蔽することを防ぐとされているのに対し、引用発明では、電源スイッチ操作部が設けられた切り欠き部には、そのような赤外線通信装置は設けられていない点。
　
５．判断
　上記相違点について検討すると、
（ア）一般的に、加熱調理器の上方に換気装置が設けられることはごく普通のことであり、また、キッチンの各種機器において、操作を自動化したり、操作性を向上させたりすることは一般的な技術課題であるので、引用発明の誘導加熱調理器において、引用例２に記載された赤外線投光手段からの赤外線信号により上方に設けた換気装置を制御する機能を追加することは、当業者が容易に想到し得た事項である。
（イ）引用例２に記載された「赤外線投光手段」を構成する赤外線ＬＥＤの加熱調理器における配置は、本体ケースの前面側のフランジ部の左右であるから、引用発明の電源スイッチ操作部が設けられている「切り欠き部」の誘導加熱調理器における配置と同じである。そうすると、引用発明の誘導加熱調理器において、引用例２に記載された赤外線投光手段からの赤外線信号により上方に設けた換気装置を制御する機能を追加する際に、「赤外線投光手段」を「切り欠き部」に設けることは、当業者が容易に想到し得た事項である。また、その場合、「切り欠き部」には、トッププレートがないことより、上記「赤外線投光手段」は、上記相違点に係る本願発明の「天板を通過させずに本体の上方に配置された機器と赤外線で通信を行う」ことができるものである。
（ウ）引用発明の上記「切り欠き部」に上記「赤外線投光手段」を設ける場合、「電源スイッチ操作部」と「赤外線投光手段」との配置関係は、設計上適宜に決める程度のことと認められ、また、引用例２には、赤外線投光手段（赤外線通光部）を保持枠の左右又は後面側に設けた場合ではあるが、使用者の手などによる赤外線信号の遮断に係る記載もあることより(記載事項（２ｅ）参照）、「赤外線投光手段」を、使用者の手などの影響が少ない「電源スイッチ操作部」よりも後方に配置することは、当業者が容易に想到し得た設計上の事項と認められる。また、「赤外線投光手段」と「電源スイッチ操作部」とを同じ「切り欠き部」に配置することから、それらを同一面に配置することは、単なる設計事項に過ぎない。
（エ）引用発明において、上記「切り欠き部」と流し台のキャビネットに設けられた「開口部」との配置関係は特定されていないが、「切り欠き部」は、トッププレートの角部を三角形状に切り欠いて形成されたものであるので、トップユニットの周縁部に位置すること、また、引用例１には、「切り欠き部」に設けられている電源スイッチ操作部が上記「開口部」のほぼ外側に配置されていることが記載され（記載事項（１ｉ）参照）、引用例２にも、赤外線投光手段を構成する赤外線ＬＥＤを流し台の開口部の外側に配置されていることが記載されている（記載事項（２ｆ）参照）ことから、引用発明の「切り欠き部」に「赤外線投光手段」を設ける場合、「赤外線投光手段」を流し台のキャビネットに設けられた「開口部」の外側に配置することは、当業者が容易になし得ることと認められる。また、その際、上記「赤外線投光手段」が、キャビネット上面より高い位置に配置されることは当然の事項である。
（オ）引用発明の電源スイッチ操作部が設けられた「切り欠き部」に上記「赤外線投光手段」を設けた場合、トッププレート上面に形成された「段差」は、トッププレートの上面にふきこぼれなどで液体がこぼれても、電源スイッチ操作部には流れて行かないようにすることができるものであるので（記載事項（１ｇ）参照）、同じ場所に設けた「赤外線投光手段」も同様なことがいえることから、上記「段差」は、上記相違点に係る本願発明でいう「天板上の液体が前記収納部に流れ込んで赤外線通信装置から発信する赤外線を遮蔽することを防ぐ」ものといえる。
　
　上記（ア）〜（オ）より、引用発明の誘導加熱調理器において、引用例２に記載された赤外線投光手段（赤外線通信装置）からの赤外線信号により上方に設けた換気装置（機器）を制御する機能を追加し、また、赤外線投光手段（赤外線通信装置）を切り欠き部の電源スイッチ操作部（電源スイッチ）の後方に配置することにより、上記相違点の本願発明の構成とすることは、当業者が容易になし得たことである。
　
　したがって、本願発明は、引用発明及び引用例２に記載された発明に基づいて、当業者が容易に発明をすることができたものである。
　
６．むすび
　以上のとおり、本願発明は、特許法第２９条第２項の規定により特許を受けることができないものであるから、本願は、他の請求項に係る発明について検討するまでもなく、拒絶をすべきものである。
　よって、結論のとおり審決する。